(57)【要約】【課題】  肩ベルトを長く引き出せる小型の肩ベルト伸縮装置を提供する。【解決手段】  ケース１２内の引出口３４の近傍に設けられた固定ユニット３６が、回転自在な複数のプーリ４６、４８を有している。固定ユニット３６よりもケース１２の内側に、ケース１２の長さ方向に沿って進退可能に可動ユニット５０が設けられ、可動ユニット５０は、複数のプーリ６６、６８を有している。固定ユニット３６の各プーリと可動ユニット５０の各プーリとの間に、複数に折り返されて肩ベルト６が張架されている。可動ユニット５０の進退に応じて伸縮するコイルばね８２がケース１２内に設けられている。【選択図】        図１
2011019749.tif 000002
【特許請求の範囲】
【請求項１】
概略直方体状で、一端部に引出口を有する本体部と、
この本体部内の前記引出口の近傍に設けられ、前記本体部の幅方向に沿って配置された複数の折り返し体を有する固定ユニットと、
この固定ユニットよりも前記本体部の内側に前記固定ユニットから離れた位置に、前記本体部の幅方向に沿って配置された複数の折り返し体を有し、前記本体部の長さ方向に沿って前記固定ユニットに対して進退可能な可動ユニットと、
前記固定ユニットの各折り返し体と前記可動ユニットの各折り返し体との間に、複数に折り返されて張架され、一端が前記引出口から引き出された肩ベルトと、
前記本体部の前記引出口と反対側の端部に設けた固定部と前記可動ユニットとの間に設けられ、前記可動ユニットの進退に応じて伸縮する弾性体とを、
具備する肩ベルト伸縮装置。
【請求項２】
請求項１記載の肩ベルト伸縮装置において、前記固定ユニットの各折り返し体は、前記本体部の長さ方向に沿ってほぼ一列に配置され、前記引出口側の折り返し体から前記本体部内部側にある折り返し体に向かうほど径が小さくなり、前記可動ユニットの各折り返し体は、前記本体部の長さ方向に沿ってほぼ一列に配置され、前記弾性体側にある折り返し体から前記可動ユニット側にある折り返し体に向かうほど径が小さくなる肩ベルト伸縮装置。
【請求項３】
請求項１記載の肩ベルト伸縮装置において、前記可動ユニット及び固定ユニットの折り返し体は、前記本体部の高さ方向に沿って配置されている肩ベルト伸縮装置。
【請求項４】
請求項１乃至３いずれか記載の肩ベルト伸縮装置において、前記可動ユニット及び前記固定ユニットは、それらが有する折り返し体の数を異ならせることが可能な肩ベルト伸縮装置。
【請求項５】
請求項１乃至４いずれか記載の肩ベルト伸縮装置において、前記可動ユニットは、前記本体部の内側壁に沿う形状のフィンを有する肩ベルト伸縮装置。
【請求項６】
請求項１乃至５いずれか記載の肩ベルト伸縮装置において、前記可動ユニットの前記固定ユニット側への摺動軌道上に間隔をおいて複数のストッパ取り付け用の孔を設けた肩ベルト伸縮装置。
【請求項７】
請求項１乃至６いずれか記載の肩ベルト伸縮装置において、前記本体部内の側壁と前記弾性体との間に、消音部材を配置した肩ベルト伸縮装置。
【請求項８】
請求項１乃至７いずれか記載の肩ベルト伸縮装置において、前記折り返し体がプーリである肩ベルト伸縮装置。
【請求項９】
請求項１乃至７いずれか記載の肩ベルト伸縮装置において、前記折り返し体がシャフトである肩ベルト伸縮装置。
【請求項１０】
請求項１乃至９いずれか記載の肩ベルト伸縮装置を備えた鞄。
【発明の詳細な説明】
【技術分野】
【０００１】
本発明は、ビジネスバックやリュックサックのような鞄の肩ベルトの長さを伸縮させる肩ベルトの伸縮装置及びこの伸縮装置を備えた鞄に関する。
【背景技術】
【０００２】
従来、肩ベルトの伸縮装置としては、例えば特許文献１に開示されているものがある。特許文献１の技術では、肩ベルトの一端を鞄に固定し、この肩ベルトを中途で折り返し、その折り返し部分にリングを挿通し、このリングにゴム紐の一端を固定し、ゴム紐の他端を鞄に固定したものである。この伸縮装置では、ストラップに力を加えて引き出すことにより、ゴム紐が伸びて、ストラップの長さを長くでき、ストラップに加えた力を除くと、ゴム紐が縮んで、ストラップの長さを短くすることができる。
【先行技術文献】
【特許文献】
【０００３】
【特許文献１】特開２００８−７３３１０号公報
【発明の概要】
【発明が解決しようとする課題】
【０００４】
この伸縮装置では、単にストラップをゴム紐によって伸縮させる構成であるので、リングがストラップの固定位置まで移動するまでゴムを伸ばした場合、それ以上、ストラップを引き出すことはできない。即ち、リングの移動距離以上には、ストラップを引き出すことはできない。これでは、大きい鞄に対応したストラップの長さとするためには、リングの移動距離を長くしなければならず、肩ベルト伸縮装置が大型になる。
【０００５】
本発明は、長く肩ベルトを引き出す場合でも小型化した肩ベルト伸縮装置を提供することを目的とする。
【課題を解決するための手段】
【０００６】
本発明の一態様の肩ベルトの伸縮装置は、本体部を有している。本体部は、概略直方体状で、一端部に引出口を有している。この本体部は、鞄の内部に設けることもできるし、鞄の外部に設けることもできる。この本体部内の前記引出口の近傍に固定ユニットが設けられている。この固定ユニットは、前記本体部の幅方向に沿って設けられた複数の折り返し体を有している。折り返し体としては、プーリを使用することもできるし、シャフトを使用することもできる。この固定ユニットよりも前記本体部の内側の位置に、前記固定ユニットから離れて、可動ユニットが設けられている。可動ユニットは、前記本体部の幅方向に沿って設けられた複数の折り返し体を有し、前記本体部の長さ方向に沿って前記固定ユニットに対して進退可能である。これら折り返し体にもプーリまたはシャフトを使用することができる。前記固定ユニットの各折り返し体と前記可動ユニットの各折り返し体との間に肩ベルトが複数に折り返されて張架され、一端が前記引出口から引き出されている。前記本体部の前記引出口と反対側の端部に設けた固定部と前記可動ユニットとの間に弾性体が設けられ、この弾性体は、前記可動ユニットの進退に応じて伸縮する。弾性体としては、例えばコイルばねや渦巻きばねを使用することができる。また、可動ユニットは、前記固定部に接触した状態から前記固定ユニットに接触する状態まで摺動可能である。
【０００７】
このように構成された肩ベルト伸縮装置では、引出口からストラップを外側に引くと、ストラップの可動ユニット側から伸ばされたストラップが引出口から引き出されると共に、可動ユニットが弾性体を伸ばしながら固定ユニット側に近づいてくる。これによって、ストラップが引き出される。可動ユニットと固定ユニットとには、それぞれ複数の折り返し体が設けられ、これらの間に折り返されてストラップが張架されているので、可動ユニットの最大ストロークよりも長いストラップを使用することができ、大型の鞄に対しても肩ベルト伸縮装置を小型化することができる。
【０００８】
固定ユニットの各折り返し体は、前記本体部の長さ方向に沿って一列に配置することができる。この場合、前記引出口側の折り返し体から前記本体部内部側にある折り返し体に向かうほど折り返し体の径が小さくなる。前記可動ユニットの各折り返し体は、前記本体部の長さ方向に沿って一列に配置され、前記弾性体側にある折り返し体から前記可動ユニット側にある折り返し体に向かうほど折り返し体の径が小さくなる。前記ストラップは、このように構成すると、可動ユニットや固定ユニットの高さ寸法を小さくすることができ、小型化することができる。
【０００９】
或いは、前記可動ユニット及び固定ユニットの折り返し体は、前記本体部の高さ方向に沿って配置されているものとすることができる。このように構成すると、肩ベルトの各折り返し体への張架が容易になる。
【００１０】
前記可動ユニット及び前記固定ユニットは、それらが有する折り返し体の数を異ならせることが可能である。これによっても、外部に引き出せるストラップの長さを変化させることができ、大きさの異なる鞄への対応がさらに容易になる。
【００１１】
前記可動ユニットは、前記本体部の内側壁に沿う形状のフィンを有するものとすることができる。これによって、可動ユニットが進退する際に振動することを防止できる。
【００１２】
前記可動ユニットの前記固定ユニット側への摺動軌道上に間隔をおいて複数のストッパ取り付け用の孔を設けることができる。このように構成することによって、可動ユニットのストロークを調整することができ、このストロークの調整によって余り大きくストラップを引き出す必要のない鞄にも対応することができる。
【００１３】
前記本体部内の側壁と前記弾性体との間に、消音部材を配置することもできる。このように構成すると、この伸縮装置を取り付けた鞄が何かに衝突したときや床においたときに、弾性部材が振動しても異音を発生することを防止できる。
【発明の効果】
【００１４】
以上のように、本発明によれば、１台の肩ベルトの伸縮装置によって、様々な長さに肩ベルトを引き出すことができ、異なる大きさの鞄にも容易に対応することができる。
【図面の簡単な説明】
【００１５】
【図１】本発明の第１の実施形態の肩ベルト伸縮装置を内部に２つ設けた鞄の部分破断斜視図である。
【図２】図１の鞄の部分破断正面図である。
【図３】図１の肩ベルト伸縮装置の肩ベルトを縮めた状態の横断面図である。
【図４】図１の肩ベルト伸縮装置の肩ベルトを縮めた状態の縦断面図である。
【図５】図１の肩ベルト伸縮装置の肩ベルトを伸ばした状態の横断面図である。
【図６】図１の肩ベルト伸縮装置の肩ベルトを伸ばした状態の縦断面図である。
【図７】図１の肩ベルト伸縮装置にストッパピンを取り付けた状態の部分破断平面図である。
【図８】図１の肩ベルト伸縮装置にストッパピンを取り付けた状態の底面図である。
【図９】本発明の第２の実施形態の肩ベルト伸縮装置の肩ベルトを縮めた状態の部分省略平面図である。
【図１０】本発明の第２の実施形態の肩ベルト伸縮装置の肩ベルトを伸ばした状態の部分省略平面図である。
【図１１】第１の実施形態の肩ベルト伸縮装置の１つの変形例を示す図である。
【図１２】第１の実施形態の肩ベルト伸縮装置の別の変形例を示す図である。
【図１３】第１の実施形態の肩ベルト伸縮装置の他の変形例を示す図である。
【図１４】第１または第２の実施形態の肩ベルト伸縮装置を外部に２つ設けた鞄の部分斜視図である。
【図１５】図１４の鞄の部分正面図である。
【図１６】第１または第２の実施形態の肩ベルト伸縮装置を内部に１つ設けた鞄の部分破断斜視図である。
【図１７】図１６の鞄の部分破断正面図である。
【図１８】第１または第２の実施形態の肩ベルト伸縮装置を実施したランドセル型の鞄の部分破断斜視図である。
【図１９】図１８の鞄の部分破断正面図である。
【発明を実施するための形態】
【００１６】
本発明の第１の実施形態の肩ベルトの伸縮装置２は、図１及び図２に示すように、アタッシュケースやノートパソコンのキャリングバックのような箱形の鞄４の内部の両側壁にそれぞれ設けられている。符号６で示すのは、伸縮装置２、２から引き出された肩ベルトで、符号８で示すのは、肩ベルト６の中途に設けた肩当てパットで、符号１０で示すのは持ち手である。
【００１７】
両肩ベルト伸縮装置２は、図３及び図４に示すように、ケース１２を有している。ケース１２は、長方形状の底壁１４と、その底壁１４の両長手縁に底壁１４に直角に形成された側壁１６、１８と、底壁１４の一方の端縁に底壁１４と直角に設けられた端壁２０とを有する扁平な直方体状で、その上面が開口している。この開口を覆うように蓋２２が設けられている。蓋２２も、図４に示すように、底壁１４に対応する平板状部２４を有している。平板状部２４の両側縁に設けた側壁２６、２８がケース１２の側壁１６、１８の外側でこれらと重なるように配置されている。平板状部２４の一方の端部に設けた端壁３０が端壁２０の外側でこれと重なるように設けられている。平板状部２４の他方の端部は開放されており、底壁１４との間に引出口３４が形成されている。このケース１２と蓋２２とによって、扁平な直方体状の本体部が構成されている。なお、平板状部２４の他方の端部にも端壁を設け、その先端が底壁１４に非到達として、この端壁の先端と底壁１４との間に引出口３４を設けることも可能である。
【００１８】
引出口３４の近傍のケース１２内には、固定ユニット３６が固定されている。固定ユニット３６は、概略長方形状の２つの板状部３８、４０を有し、これらは側壁１６、１８に接するように配置され、互いに対向している。これら板状部３８、４０に跨って、互いに平行に複数、例えば２本の固定軸４２、４４が設けられている。これら固定軸４２、４４の外側に折り返し体、例えばプーリ４６、４８が挿通され、固定軸４２、４４の回りに回転自在である。プーリ４６、４８は、直径が異なるもので、径の大きいプーリ４８が引出口３４に近い位置に、径の小さいプーリ４６が引出口３４から遠い位置に設けられている。なお、これらプーリ４６、４８の中心が、底壁１２の長さ方向に沿うほぼ同一直線上に位置するように、固定軸４２、４４もその中心が底壁１２の長さ方向に沿うほぼ同一直線上に位置している。
【００１９】
固定ユニット３６よりもさらにケース１２の内側に、固定ユニット３６と離れて、可動ユニット５０が設けられている。可動ユニット５０も、概略長方形状の２つの平板状部５２、５４を有し、これらは側壁１６、１８に接するように配置され、互いに対向している。図４に示すように、これら平板状部５２、５４の中途にこれらに跨って連結上壁５６、連結底壁５８及び連結側壁６０が配置されている。これら連結上壁５６、連結底壁５８及び連結側壁６０よりも、固定ユニット３６側によった平板状部５２、５４に跨って互いに平行に複数、例えば２本の固定軸６２、６４が設けられている。これら固定軸６２、６４の外側に折り返し体、例えばプーリ６６、６８が挿通され、固定軸６２、６４の回りに回転自在である。プーリ６６、６８は、直径が異なるもので、径の大きいプーリ６６が固定ユニット３６から遠い位置に、径の小さいプーリ６８が固定ユニット３６に近い位置に設けられている。これらプーリ６６、６８の中心が、底壁１２の長さ方向に沿うほぼ同一直線上に位置するように、固定軸６２、６４もその中心が底壁１２の長さ方向に沿うほぼ同一直線上に位置し、かつ、この直線は、固定ユニット３６の固定軸４２、４４が通る直線とほぼ同一である。即ち、固定ユニット３６及び可動ユニット５０の各プーリ４６、４８、６６、６８は、底壁１４に平行なほぼ同一直線上に位置している。この可動ユニット５０は、底壁１４の長さ方向に沿って摺動可能であり、引出口３４側には、可動ユニット５０が固定ユニット３６に接触するまで移動可能である。
【００２０】
これら固定ユニット３６及び可動ユニット５０の各プーリ４６、４８、６６、６８間に、折り返して、肩ベルト６が張架されている。即ち、固定軸６４よりも固定ユニット３６に近い平板状部５２、５４の間に設けた固定シャフト７０に肩ベルト６の一端が固定され、固定ユニット３６側に伸び、固定ユニット３６のプーリ４６によって可動ユニット５０側に折り返され、可動ユニット５０のプーリ６８によって固定ユニット３６側に折り返され、固定ユニット３６のプーリ４８によって可動ユニット５０側に折り返され、可動ユニット５０のプーリ６６によって固定ユニット３６側に折り返され、引出口３４から外部に引きされている。このように肩ベルト６は、ほぼ同一直線上に配置された径の異なるプーリ間に渦巻き状に折り返されて、引出口３４から引き出されている。なお、肩ベルト６の幅寸法は、ケース１２の幅寸法よりも幾分狭い。プーリ４６、４８、６６、６８は、固定軸４２、４４、６２、６４に挿通されているので、プーリ４６、４８、６６、６８は肩ベルト６と接触して、肩ベルト６との間に摩擦が生じていても回転しやすく、長寿命である。
【００２１】
可動ユニット５０の連結上壁５６、連結底壁５８及び連結側壁６０によって囲われた平板状部５２、５４の部分に跨って係合軸７２が設けられている。ケース１２の一方の端部には、固定部７４が固定されている。固定部７４は、側壁１６、１８に接するように設けられた平板状部７６、７８を有し、これらに跨って係合軸８０が設けられている。なお、平板状部７６、７８の引出口３４側の端は、可動ユニット５０の平板状部５２、５４に接して、可動ユニット５０がケース１２の一方の端部側にこれ以上移動することを阻止している。
【００２２】
これら係合軸７２、８０間に、弾性部材、例えばコイルばね８２が張架されている。コイルばね８２は、可動ユニット５０の平板状部５２、５４が固定部７４の平板状部７６、７８に接触している状態では、ほぼ非伸張状態であり、可動ユニット５０に力が加えられて、可動ユニット５０が引出口３４側に移動する場合、コイルばね８２は伸張し、可動ユニット５０に加えられていた力が除去されると、コイルばね８２は元の状態に縮小する。
【００２３】
このコイルばね８２は、その周囲が消音部材、例えばクッション材やヒメロンシート材８４によって包囲されている。従って、例えば鞄４を床などにおいたときに、コイルばね８２が上下壁１４、２４、側壁１６、１８側に振動したことにより上下壁１４、２４、側壁１６、１８に衝突しても、異音が発生することはない。
【００２４】
可動ユニット５０の平板状部５２、５４が、固定ユニット３６側に向かって移動するとき、肩ベルト６の両側を通過するが、この通過通路に当たる底壁１４には、所定の間隔を開けて複数、例えば３対のストッパピン挿通孔８６が形成されている。
【００２５】
図３及び図４に示すコイルばね８２が非伸張の状態では、ケース１２の引出口３４から引き出されている肩ベルト６は、図３に破線で示すように最も短い。この状態において肩ベルト６を引出口３４から引き出すと、コイルばね８２を伸ばしながら、可動ユニット５０が引出口３４側に移動し、可動ユニット５０と固定ユニット３６との各プーリ４６、４８、６６、６８に張架されている肩ベルト６が引き出される。この状態は、図５及び図６に示すように、可動ユニット５０が固定ユニット３６に接触するまで継続する。
【００２６】
このように可動ユニット５０と固定ユニット３６との各プーリ４６、４８、６６、６８間に折り返して肩ベルト６を張架してあるので、可動ユニット５０のストロークよりも長く肩ベルト６を引き出すことができる。従って、肩ベルト伸縮装置２を肩ベルト６を長く引き出すことができるに拘わらず、小型化することができる。しかも、各プーリ４６、４８、６６、６８は、全てほぼ同一直線上に位置しているので、ケース１２の高さ寸法を小さくすることができる。さらに、プーリ６８、６６と、プーリ４６、４８とでは径を異ならせてあるので、肩ベルト６を渦巻き状に折り返しているにも拘わらず、折り返された肩ベルト６同士の間に隙間を形成でき、肩ベルト６同士の摩擦を減らすことができ、円滑に肩ベルト６を引き出すことができる。
【００２７】
また、肩ベルト６を引き出すために肩ベルト６に加えていた力を除くと、コイルばね８２が縮み、元の長さに戻る。これに伴い可動ユニット５０も元の位置に戻り、肩ベルト６が各プーリ４６、４８、６６、６８間に巻き取られる。
【００２８】
このように可動ユニット５０が固定ユニット３６に対して進退するが、平板状部５２、５４が側壁１６、１８に接して移動するので、可動ユニット５０が側壁１６、１８間方向に横揺れすることがない。
【００２９】
この肩ベルト伸縮装置２で肩ベルト６を完全に引き出した場合、使用者によっては肩ベルトの長さが長いと感じることがある。その場合、図７及び図８に示すように、３対のストッパピン挿通孔８６のいずれか適切なものに、概略Ｕ字状のストッパピン８８を挿通する。これによって、ストッパピン８８に可動ユニット５０が接触した位置よりも固定ユニット３６側に可動ユニット５０が移動せず、引き出される肩ベルト６の長さが短くなる。なお、符号９０で示すのはストッパピン８８の固定具で、これによってストッパピン８８は、底壁１４に固定される。
【００３０】
図９及び図１０に第２の実施形態の肩ベルト伸縮装置２ａを示す。この肩ベルト伸縮装置２ａでは、コイルばね８２に代えて、ゼンマイばね８２ａを使用している点が、第１の実施形態の肩ベルト伸縮装置２と異なる。他の同等部分には同一符号を付して、説明を省略する。ゼンマイばね８２ａを使用することによって、コイルばね８２を使用した場合よりも、ばねがケース１２内に占める面積を小さくすることができ、肩ベルト伸縮装置２ａを小型化を図ることができる。
【００３１】
第１の実施形態では、固定ユニット３６側に２つのプーリ４６、４８を、可動ユニット５０側に２つのプーリ６６、６８を設けたが、例えば鞄２の大きさによって引き出す肩ベルト６の長さが短くてもよい場合には、プーリの数を少なくすることもできる。例えば図１１に示すように、固定ユニット３６側にプーリ４８のみを設けることもできる。なお、引き出す肩ベルト６の長さを長くしたい場合には、図示していないが、可動ユニット５０及び固定ユニット３６のプーリの数を増加させればよい。このように、引き出す肩ベルトの長さを容易に調整できるように、異なる数のプーリを備えた可動ユニット５０と固定ユニット３６とを複数種類準備しておくのが望ましい。
【００３２】
第１の実施形態では、固定ユニット３６側のプーリ４６、４８、可動ユニット５０側のプーリ６６、６８は、底壁１４に平行なほぼ同一直線上に位置するように配置したが、図１２及び図１３にそれぞれ示すように、ケース１２の高さ方向に沿って同一直径のプーリ６６、４８をそれぞれ配置することもできる。この場合、図１３に示すように、プーリ４８、４８を近づけ、プーリ６６、６６を近づける場合には、サポートシャフト９２を設ける。このように構成すると、第１の実施形態と比較して、肩ベルト６のプーリ間への張架が単に折り返すだけでよく、張架が容易になる。
【００３３】
上記の２つの実施形態では、折り返し体として回転自在なプーリ４６、４８、６６、６８を使用したが、これに限ったものではなく、例えば肩ベルト６が回りを滑ることが可能にすれば、プーリ４６、４８、６６、６８を除去し、固定シャフト４２、４４、６２、６４のみを使用することもできる。
【００３４】
上記の２つの実施形態では、鞄２の内部に肩ベルト伸縮装置２を設けたが、図１４及び図１５に示すように鞄２の外部の両側にそれぞれ肩ベルト伸縮装置２を設けることもできる。このように構成すると、ベルト伸縮装置を取り付けるための改造を鞄４に加える必要が無く、また、一種のファッションとしてベルト伸縮装置を使用することもできる。また、図１４、図１５では、肩当てパッド８ａには、持ち手１０を通す長孔８ｂが形成されており、肩ベルト６が縮んだとき、長孔８ｂ内に持ち手１０が入るので、鞄４の持ち手１０を使用して持っても、肩ベルト６が邪魔になることはない。
【００３５】
上記２つの実施形態では、２つの肩ベルト伸縮装置２を設けたが、図１６及び図１７に示すように、肩ベルト６の一端は鞄２に固定し、１つだけ肩ベルト伸縮装置２を設けることもできる。
【００３６】
上記の２つの実施形態では、箱形の鞄４に、肩ベルト伸縮装置２を設けたが、図１８及び図１９に示すようにリュックサック型の鞄４ａやランドセル型の鞄に肩ベルト伸縮装置２を実施することもできる。この場合、肩ベルト６ａ、６ａをそれぞれ引き出すことが可能な２台の肩ベルト伸縮装置２が使用される。これら２つの肩ベルト伸縮装置は、鞄４ａの背負い部の内面両側にそれぞれ取り付けられ、２本の肩ベルト６ａ、６ａは、背負い部内面の上部から背負い部外面に引き出され、肩ベルト伸縮装置２が設けられているのと同じ側の下端に肩ベルト６ａ、６ｂの一端が固定されている。この場合、肩ベルト６ａ、６ｂは平行となるが、肩ベルト６ａ、６ａが互いに交差するように、引き出された肩ベルト伸縮装置とは反対側の肩ベルト伸縮装置が設けられている側の下端に肩ベルト６ａ、６ａを固定することもできる。
【符号の説明】
【００３７】
２  ２ａ  肩ベルト伸縮装置
４  ４ａ  鞄
６  肩ベルト
１２  ケース（本体部）
２２  蓋（本体部）
３４  引出口
３６  固定ユニット
４６  ４８  プーリ（折り返し体）
５０  可動ユニット
６６  ６８  プーリ（折り返し体）
７４  固定部
８２  コイルばね（弾性体）
【図１】
2011019749.tif 000003
【図２】
2011019749.tif 000004
【図３】
2011019749.tif 000005
【図４】
2011019749.tif 000006
【図５】
2011019749.tif 000007
【図６】
2011019749.tif 000008
【図７】
2011019749.tif 000009
【図８】
2011019749.tif 000010
【図９】
2011019749.tif 000011
【図１０】
2011019749.tif 000012
【図１１】
2011019749.tif 000013
【図１２】
2011019749.tif 000014
【図１３】
2011019749.tif 000015
【図１４】
2011019749.tif 000016
【図１５】
2011019749.tif 000017
【図１６】
2011019749.tif 000018
【図１７】
2011019749.tif 000019
【図１８】
2011019749.tif 000020
【図１９】
2011019749.tif 000021